(57)【要約】【課題】部分表示をする際に、表示領域の焼き付きやフリッカを防止できるとともに、非表示領域における消費電力を低減できる電気光学装置を提供すること。【解決手段】電気光学装置１は、走査線、データ線、および画素を備え、全画面表示モードと部分表示モードとが選択可能である。画素は、画素電極およびスイッチング素子を有する。また、電気光学装置１は、正極性書込および負極性書込を交互に行うデータ線駆動回路４０と、走査線に所定の順番で選択する選択電圧を供給する走査線駆動回路と、を有する。全画面表示モードでは、共通電極に対して所定の電圧よりも高い電圧が印加され、データ線駆動回路４０は、所定の電圧より高い電圧を基準として正極性書込と負極性書込とを交互に行う。一方、部分表示モードでは、共通電極に対して所定の電圧が印加され、データ線駆動回路４０は、所定の電圧を基準として正極性書込と負極性書込とを交互に行う。【選択図】図３
2007058158.tif 000002
【特許請求の範囲】
【請求項１】
複数の走査線と、複数のデータ線と、前記走査線および前記データ線の交差に対応して設けられた複数の画素と、を備え、全画面を表示領域とする全画面表示モードと、前記全画面の一部の領域を表示領域とし、他の領域を非表示領域とする部分表示モードとが選択可能な電気光学装置であって、
前記画素は、画素電極と、当該画素電極に対向する共通電極と、前記走査線に選択電圧が印加されたときに前記データ線と前記画素電極とを導通状態とするスイッチング素子と、を有し、
前記走査線に所定の順番で選択する選択電圧を供給する走査線駆動回路と、
前記走査線が選択された際に、前記データ線に画像信号を供給するデータ線駆動回路と、を備え、
前記全画面表示モードでは、前記データ線駆動回路は、前記共通電極に印加される電圧よりも高い所定の電圧を基準として、前記データ線に対して正極性及び負極性の画像信号を交互に供給し、
前記部分表示モードでは、前記データ線駆動回路は、前記共通電極に印加される電圧を基準として、前記データ線に対して正極性及び負極性の画像信号を交互に供給することを特徴とする電気光学装置。
【請求項２】
前記データ線駆動回路は、前記部分表示モードにおいて、前記正極性および前記負極性の画像信号に対して、前記共通電極に印加される電圧より高い所定の電圧分だけ補正する補正回路を備えることを特徴とする請求項１に記載の電気光学装置。
【請求項３】
前記補正回路は、部分表示用の補正データ記憶部を有し、当該補正記憶部から補正係数を詠み出すことで画像信号を補正することを特徴とする請求項２に記載の電気光学装置。
【請求項４】
請求項２に記載の電気光学装置において、
前記補正回路は、任意の係数を乗算することで画像データを補正することを特徴とする請求項２に記載の電気光学装置。
【請求項５】
請求項１乃至４のいずれか１項に記載の電気光学装置を備えたことを特徴とする電子機器。
【請求項６】
複数の走査線と、複数のデータ線と、前記走査線および前記データ線の交差に対応して設けられた複数の画素と、を備え、全画面を表示領域とする全画面表示モードと、前記全画面の一部の領域を表示領域とし、他の領域を非表示領域とする部分表示モードとが選択可能な電気光学装置の駆動方法であって、
前記画素は、画素電極と、当該画素電極に対向する共通電極と、前記走査線に選択電圧が印加されたときに前記データ線と前記画素電極とを導通状態とするスイッチング素子と、を有し、
前記走査線に所定の順番で選択する選択電圧を供給する走査線駆動回路と、
前記走査線が選択された際に、前記データ線に画像信号を供給するデータ線駆動回路と、を備え、
前記全画面表示モードでは、前記データ線駆動回路は、前記共通電極に印加される電圧よりも高い所定の電圧を基準として、前記データ線に対して正極性及び負極性の画像信号を交互に供給し、
前記部分表示モードでは、前記データ線駆動回路は、前記共通電極に印加される電圧を基準として、前記データ線に対して正極性及び負極性の画像信号を交互に供給することを特徴とする電気光学装置の駆動方法。
【発明の詳細な説明】
【技術分野】
【０００１】
本発明は、例えば、液晶などの電気光学物質を用いた電気光学装置、この電気光学装置の駆動方法、および電気光学装置を有する電子機器に関するものである。
【背景技術】
【０００２】
従来より、画像を表示する液晶表示装置などの電気光学装置が知られている。電気光学装置は、例えば、液晶パネルと、この液晶パネルを駆動する駆動回路と、を備えている。このような電気光学装置は、例えば、以下のような構成である。
【０００３】
電気光学装置は、液晶パネルと、この液晶パネルを駆動する液晶駆動回路と、この液晶駆動回路を制御するコントロール回路と、を備える。液晶駆動回路は、走査線駆動回路と、データ線駆動回路と、液晶駆動用電源回路と、を備える。
【０００４】
液晶パネルは、後述するスイッチング素子としての薄膜トランジスタ（以降、ＴＦＴと呼ぶ）がマトリクス状に配置された素子基板と、この素子基板に対向配置された対向基板と、素子基板および対向基板の間に設けられた電気光学物質としての液晶と、から構成されている。
【０００５】
素子基板は、所定間隔おきに設けられた複数の走査線と、これら走査線に略直交し所定間隔おきに設けられた複数のデータ線と、複数の走査線と略平行かつ交互に設けられた容量線と、を備える。
【０００６】
各走査線と各データ線との交差部分には、画素が設けられている。この画素は、上述のＴＦＴのほか、画素電極、およびこの画素電極に一端が接続され他端が容量線に接続された蓄積容量で構成される。
ＴＦＴのゲートには、走査線が接続され、ＴＦＴのソースには、データ線が接続され、ＴＦＴのドレインには、画素電極および蓄積容量が接続されている。
【０００７】
対向基板には、複数の走査線と略平行に複数のコモン線が設けられている。また、対向基板には、画素電極に対向して共通電極が形成されており、これら共通電極は、コモン線に接続されている。
【０００８】
以上の電気光学装置は、以下のように動作する。すなわち、制御信号を線順次で供給することで、所定の走査線に係る画素を全て選択する。そして、この画素の選択に同期して、データ線に画像信号を供給する。これにより、制御信号で選択した全ての画素に画像信号が供給されて、画像データが画素電極に書き込まれる。
【０００９】
この電気光学装置では、共通電極の電圧を基準電圧として、この共通電極の電圧よりも高い電圧でデータ線に画像信号を供給する正極性書込と、共通電極の電圧よりも低い電圧でデータ線に画像信号を供給する負極性書込とを交互に行う。
【００１０】
画素の画素電極に画像信号が書き込まれると、この画素電極と共通電極との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量により、画像信号が書き込まれる期間よりも３桁も長い期間に亘って保持される。
【００１１】
ここで、以上の電気光学装置では、ＴＦＴのゲート−ドレイン間およびソース−ドレイン間に、それぞれ、寄生容量が生じる。ＴＦＴのゲート電圧がオフになると、蓄積容量に蓄積された電荷と、画素電極および共通電極による画素容量に蓄積された電荷とが、寄生容量を含んで再分配される。その結果、画素電極の電圧が低下して、液晶に印加される電圧も低下する、いわゆるプッシュダウンが生じる。
【００１２】
このプッシュダウンは、正極性書込においても、また、負極性書込においても、常に生じる。そのため、正極性の画像信号および負極性の画像信号の中心値である中心電圧Ｖｃは、プッシュダウンによる電圧降下分だけ、共通電極の電圧ＶＣＯＭよりも高く設定されている。
【００１３】
ところで、以上のような電気光学装置は、例えば、携帯機器に用いられる。この携帯機器では、近年、消費電力の一層の低減が要請されている。そこで、上述のように表示画面の全画面に表示する（以降、全画面表示と呼ぶ）のではなく、表示画面の一部にのみ表示する（以降、部分表示あるいはパーシャル表示と呼ぶ）ことで、省電力化を図っている（例えば、特許文献１参照）。
この特許文献１で示された電気光学装置においては、パーシャル表示を行う場合、表示画面を表示領域と非表示領域とに分割し、表示領域には電池残量や時刻表示などを表示し、非表示領域には何も表示しない。すなわち、ノーマリーホワイトの場合は、非表示領域に白を表示し、ノーマリーブラックの場合は、非表示領域に黒を表示する。
【００１４】
このようなパーシャル表示を行う場合において、上述の全画面表示を行う場合と同様に、画像信号の中心電圧Ｖｃを、プッシュダウンによる電圧降下分だけ、共通電極の電圧ＶＣＯＭよりも高く設定すると、非表示領域には何も表示しないにもかかわらず、画素電極と共通電極との間には、常にプッシュダウンによる電位差が生じることになり、著しく電力が消費されることになる。
【００１５】
そこで、パーシャル表示においては、非表示領域における消費電力を低減するため、画像信号の中心電圧Ｖｃを共通電極の電圧ＶＣＯＭと等しく設定し、これにより、非表示領域における消費電力を低減している。
【００１６】
【特許文献１】特開２００１−３５６７４６号公報
【発明の開示】
【発明が解決しようとする課題】
【００１７】
しかしながら、パーシャル表示を行う際に、画像信号の中心電圧Ｖｃを共通電極の電圧ＶＣＯＭと等しくすると、非表示領域の消費電力を低減することはできるが、表示領域においては、画像信号の中心電圧Ｖｃは、プッシュダウンによるオフセット電位分だけ、共通電極の電圧ＶＣＯＭよりも低くなる。そのため、表示領域に焼き付きやフリッカが生じてしまう。
【００１８】
本発明は、パーシャル表示をする際に、表示領域の焼き付きやフリッカを防止できるとともに、非表示領域における消費電力を低減できる電気光学装置、電気光学装置の駆動方法、および電子機器を提供することを目的とする。
【課題を解決するための手段】
【００１９】
本発明の電気光学装置は、複数の走査線と、複数のデータ線と、前記走査線および前記データ線の交差に対応して設けられた複数の画素と、を備え、全画面を表示領域とする全画面表示モードと、前記全画面の一部の領域を表示領域とし、他の領域を非表示領域とする部分表示モードとが選択可能な電気光学装置であって、前記画素は、画素電極と、当該画素電極に対向する共通電極と、前記走査線に選択電圧が印加されたときに前記データ線と前記画素電極とを導通状態とするスイッチング素子と、を有し、前記走査線に所定の順番で選択する選択電圧を供給する走査線駆動回路と、前記走査線が選択された際に、前記共通電極に印加される電圧よりも高い電圧で前記データ線に画像信号を供給する正極性書込と、前記共通電極に印加される電圧よりも低い電圧で前記データ線に画像信号を供給する負極性書込とを交互に行うデータ線駆動回路と、を備え、前記全画面表示モードでは、前記共通電極に対して所定の電圧よりも高い電圧が印加され、前記データ線駆動回路は、前記所定の電圧より高い電圧を基準として前記正極性書込と前記負極性書込とを交互に行い、前記部分表示モードでは、前記共通電極に対して所定の電圧が印加され、前記データ線駆動回路は、前記所定の電圧を基準として前記正極性書込と前記負極性書込とを交互に行うことを特徴とする。
【００２０】
この発明によれば、電気光学装置は、走査線駆動回路により、走査線に選択電圧を線順次で供給しつつ、データ線駆動回路により、共通電極の電圧よりも高い電圧でデータ線に画像信号を供給する正極性書込と、共通電極の電圧よりも低い電圧でデータ線に画像信号を供給する負極性書込とを交互に行う。
ここで、全画面表示モードでは、共通電極に対して所定の電圧よりも高い電圧が印加され、データ線駆動回路は、この所定の電圧より高い電圧を基準として正極性書込と負極性書込とを交互に行う。
一方、部分表示モードでは、共通電極に対して所定の電圧が印加され、データ線駆動回路は、所定の電圧を基準として正極性書込と負極性書込とを交互に行う。よって、部分表示を行っても、非表示領域においては、消費電力を低減できるとともに、表示領域においては、画面の焼き付きやフリッカを防止できる。
【００２１】
本発明の電気光学装置では、前記部分表示モードにおいて、前記正極性書込および前記負極性書込における画像信号に対して、前記所定の電圧より高い電圧分だけ補正する補正回路を備えることが好ましい。
【００２２】
この発明によれば、部分表示モードにおいて、正極性書込および負極性書込における画像信号に対して、所定の電圧より高い電圧分だけ補正する補正回路を設けたので、全画面表示モードと部分表示モードとを、簡易な構成で容易に切り換えることができる。
【００２３】
本発明の電気光学装置では、前記補正回路は、パーシャル表示用の補正テーブルを有し、この補正テーブルを参照して、画像信号を補正することが好ましい。
【００２４】
この発明によれば、パーシャル表示用の補正テーブルを設けて、この補正テーブルを参照して、画像信号を補正した。よって、画像信号に補正係数を乗じることで補正する場合に比べ、演算処理が不要となるので、より高速で画像信号を補正できる。
【００２５】
本発明の電子機器は、上述の電気光学装置を備えたことを特徴とする。
この発明によれば、上述した効果と同様の効果がある。
【００２６】
本発明の電気光学装置の駆動方法は、複数の走査線、これら走査線に略直交する複数のデータ線、ならびに、前記走査線および前記データ線の交差に対応して設けられた複数の画素を有する第１の基板と、この第１の基板に対向して設けられた第２の基板と、前記第１の基板および前記第２の基板の間に設けられた電気光学物質と、を備え、前記画素は、画素電極と、前記走査線からの制御信号に応じて、前記データ線を前記画素電極に断続するスイッチング素子と、を有し、前記第２の基板は、共通電極を有する電気光学装置の駆動方法であって、前記走査線に制御信号を線順次で供給しつつ、前記共通電極の電圧よりも高い電圧で前記データ線に画像信号を供給する正極性書込と、前記共通電極の電圧よりも低い電圧で前記データ線に画像信号を供給する負極性書込とを交互に行い、パーシャル表示をする場合には、前記データ線に前記画像信号を供給する際に、この画像信号を、その中心電圧を前記共通電極の電圧と等しくしつつ、プッシュダウンによるオフセット電位分だけ補正することを特徴とする。
この発明によれば、上述した効果と同様の効果がある。
【発明を実施するための最良の形態】
【００２７】
以下、本発明の実施形態を図面に基づいて説明する。なお、以下の実施形態および変形例の説明にあたって、同一構成要件については同一符号を付し、その説明を省略もしくは簡略化する。
＜第１実施形態＞
図１は、本発明の一実施形態に係る電気光学装置１のブロック図である。
電気光学装置１は、液晶パネルＡＡと、この液晶パネルＡＡを駆動する液晶駆動回路１０と、この液晶駆動回路１０を制御するコントロール回路２０と、を備える。液晶駆動回路１０は、走査線駆動回路３０と、データ線駆動回路４０と、液晶駆動用電源回路５０と、を備える。
【００２８】
図２は、液晶パネルＡＡの部分拡大平面図である。
液晶パネルＡＡは、後述するスイッチング素子としての薄膜トランジスタ（以降、ＴＦＴと呼ぶ）１５１がマトリクス状に配置された第１の基板としての素子基板１００と、この素子基板１００に対向配置された第２の基板としての対向基板２００と、素子基板１００および対向基板２００の間に設けられた電気光学物質としての液晶と、から構成されている（図１参照）。
上述の液晶駆動回路１０は、液晶パネルＡＡの素子基板１００上に形成される。
【００２９】
素子基板１００は、所定間隔おきに設けられた複数の走査線１１０と、これら走査線１１０に略直交し所定間隔おきに設けられた複数のデータ線１２０と、複数の走査線１１０と略平行かつ交互に設けられた容量線１４０と、を備える。なお、図２中、走査線１１０のうち上から順に、走査線１１０Ａ、１１０Ｂ、１１０Ｃとし、データ線１２０のうち左から順に、データ線１２０Ａ、１２０Ｂとする。
【００３０】
各走査線１１０と各データ線１２０との交差部分には、画素１５０が設けられている。この画素１５０は、上述のＴＦＴ１５１のほか、画素電極１５５、およびこの画素電極１５５に一端が接続され他端が容量線１４０に接続された蓄積容量１５３で構成される。
ＴＦＴ１５１のゲートには、走査線１１０が接続され、ＴＦＴ１５１のソースには、データ線１２０が接続され、ＴＦＴ１５１のドレインには、画素電極１５５および蓄積容量１５３が接続されている。このＴＦＴ１５１は、走査線１１０からの選択電圧に応じて、データ線１２０を画素電極１５５および蓄積容量１５３に断続する。具体的には、走査線１１０に選択電圧が印加されると、データ線１２０と画素電極１５５および蓄積容量１５３とを導通状態とする。
【００３１】
対向基板２００には、複数の走査線１１０と略平行に複数のコモン線１３０が設けられている。また、対向基板２００には、画素電極１５５に対向して共通電極１５６が形成されており、これら共通電極１５６は、コモン線１３０に接続されている。
【００３２】
走査線駆動回路３０は、ＴＦＴ１５１をオン、オフする選択電圧を各走査線１１０に線順次で供給する。例えば、ある走査線１１０に制御信号が供給されると、この走査線１１０に接続されたＴＦＴ１５１が全てオンになり、この走査線１１０に係る画素が全て選択される。
【００３３】
データ線駆動回路４０は、画像信号を各データ線１２０に供給し、オン状態のＴＦＴ１５１を介して、画素１５０の画素電極１５５に画像データを順次書き込む。ここで、データ線駆動回路４０は、共通電極１５６の電圧を基準電圧として、この共通電極１５６の電圧よりも高い電圧でデータ線１２０に画像信号を供給する正極性書込と、共通電極１５６の電圧よりも低い電圧でデータ線１２０に画像信号を供給する負極性書込とを交互に行う。
【００３４】
このデータ線駆動回路４０は、液晶の焼付けを防止するため、例えば、交流電圧を用いて１水平ラインごとに交互に正極性書込または負極性書込を行う１Ｈ反転駆動方式で駆動される。
【００３５】
図３は、コントロール回路２０およびデータ線駆動回路４０の構成を示すブロック図である。
コントロール回路２０は、画像データ変換部２１と、表示制御部２２と、タイミング生成部２３と、で構成される。
画像データ変換部２１は、入力された画像信号を、正極性書込または負極性書込に応じて変換して、データ線駆動回路４０に出力する。
【００３６】
表示制御部２２は、入力された表示切替信号に基づいて、全画面を表示領域とする全画面表示モード、および、全画面の一部の領域を表示領域とし、他の領域を非表示領域とする部分表示モードのうち一方を選択し、この選択した表示モードをモード選択信号としてデータ線駆動回路４０に出力する。また、この表示制御部２２は、入力された制御信号をタイミング生成部２３に出力する。
【００３７】
タイミング生成部２３は、表示制御部２２からの制御信号に基づいて、画像データ変換部２１からデータ線駆動回路４０に出力される画像信号に同期して、データ線をサンプリングするためのクロック信号ＣＫや、走査線駆動回路３０と同期をとるための同期信号ＳＹＮＣを、データ線駆動回路４０に出力する。
【００３８】
データ線駆動回路４０は、補正回路としての画像データ補正部４１と、Ｄ／Ａ変換部４２と、補正データ記憶部４３と、を備える。
補正データ記憶部４３は、パーシャル表示（部分表示）を行う際に画像信号を補正するための補正係数を記憶する。
Ｄ／Ａ変換部４２は、画像データ補正部４１からの画像信号をＤ／Ａ変換して、液晶パネルＡＡに出力する。
また、上記画像データ補正部４１については、補正データ記憶部４３の代わりに、任意の係数を乗算するような回路構成でもよい。
【００３９】
画像データ補正部４１は、入力された画像信号に、液晶パネルＡＡの光透過特性を考慮したγ補正を施して、Ｄ／Ａ変換部４２に出力する。
ここで、表示制御部２２からのモード選択信号がパーシャル表示モードである場合には、補正データ記憶部４３から補正係数を読み出し、この補正係数を画像データ変換部２１からの画像信号に乗算する。これにより、正極性書込および負極性書込における画像信号を、その中心電圧を共通電極の電圧と等しくしつつ、プッシュダウンによるオフセット電位分だけ高くなるように補正する。つまり、パーシャル表示モードでは、共通電極の電圧を基準として正極性書込と負極性書込とを交互に行う。
一方、表示制御部２２からのモード選択信号が全画面表示モードである場合には、画像データ変換部２１からの画像信号を、その中心電圧Ｖｃが共通電極１５６の電圧よりもプッシュダウンによるオフセット電位分だけ高くなるように、補正する。つまり、共通電極の電圧より高い電圧を基準として正極性書込と負極性書込とを交互に行う。
【００４０】
以上の電気光学装置１は、全画面表示モードでは、以下のように動作する。
走査線駆動回路３０は、走査線１１０に制御信号を線順次で供給することで、１本の走査線１１０に係る画素１５０をまとめて選択する。この画素１５０の選択に同期して、データ線駆動回路４０は、データ線１２０に画像信号を供給する。これにより、走査線駆動回路３０で選択した全ての画素に画像信号が供給されて、画像データが画素電極１５５に書き込まれる。
【００４１】
画素電極１５５に画像データが書き込まれると、画素電極１５５と共通電極１５６との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量１５３により、画像信号が書き込まれる期間よりも３桁も長い期間に亘って保持される。
【００４２】
また、以上の電気光学装置１は、パーシャル表示モードでは、以下のように動作する。
図４は、パーシャル表示モードにおける液晶パネルＡＡの表示画面を示す図である。
パーシャル表示モードでは、表示画面７０は、表示領域７１とこの表示領域７１を挟んで設けられた非表示領域７２とに分割される。表示領域７１には電池残量や時刻表示などが表示され、非表示領域７２には何も表示されない。すなわち、非表示領域は、ノーマリーホワイトの場合は、白が表示され、ノーマリーブラックの場合は、黒が表示される。
【００４３】
このようなパーシャル表示モードにおいては、全画面表示モードよりも表示領域が狭くなるが、１フレーム期間は変化しない。そのため、表示領域７１においては、走査線１１０の１本あたりの選択期間が、全画面表示モードにおける走査線１１０の１本あたりの選択期間よりも長くなる。
また、非表示領域７２は、何も表示しないため、表示領域７１に比べて、低い頻度でフレームが更新される。
【００４４】
以下、図５、図６を参照しながら、電気光学装置の１の全画面表示モードおよびパーシャル表示モードにおける動作について説明する。
図５、図６において、ＧＡＴＥ１〜３は走査線１１０Ａ〜Ｃの電圧であり、ＤＡＴＡ１はデータ線１２０Ａの電圧であり、ＰＩＸ１は、走査線１１０Ａとデータ線１２０Ａの交差部分に設けられた画素１５０の電圧である。また、ＶＣＯＭは共通電極１５６の電圧であり、Ｖｃは正極性書込における画像信号および負極性書込における画像信号の中心値である。
この全画面表示モードでは、Ｖｃは、ＶＣＯＭよりもプッシュダウンによるオフセット電位分だけ高くなっている。
【００４５】
図５は、電気光学装置１の全画面表示モードにおけるタイミングチャートである。
まず、時刻ｔ１からｔ２までの間、正極性書込を行う。すなわち、走査線駆動回路３０により走査線１１０Ａに制御信号を供給して、走査線１１０Ａの電圧ＧＡＴＥ１をＶＧＨとし、この走査線１１０Ａに係る１水平ラインのＴＦＴ１５１を全てオン状態にする。
同時に、データ線駆動回路４０により、共通電極１５６の電圧よりも高い電圧でデータ線１２０Ａに画像信号を供給して、ＴＦＴ１５１を介して、画素電極１５５に画像データを書き込む。
【００４６】
次に、時刻ｔ２からｔ３までの間、負極性書込を行う。すなわち、走査線駆動回路３０により走査線１１０Ｂに制御信号を供給して、走査線１１０Ｂの電圧ＧＡＴＥ２をＶＧＨとし、この走査線１１０Ｂに係る１水平ラインのＴＦＴ１５１を全てオン状態にする。
同時に、データ線駆動回路４０により、共通電極１５６の電圧よりも低い電圧でデータ線１２０Ａに画像信号を供給して、ＴＦＴ１５１を介して、画素電極１５５に画像データを書き込む。
【００４７】
次に、時刻ｔ３からｔ４までの間、正極性書込を行う。すなわち、走査線駆動回路３０により走査線１１０Ｃに制御信号を供給して、走査線１１０Ｃの電圧ＧＡＴＥ３をＶＧＨとし、この走査線１１０Ｃに係る１水平ラインのＴＦＴ１５１を全てオン状態にする。
同時に、データ線駆動回路４０により、共通電極１５６の電圧よりも高い電圧でデータ線１２０Ａに画像信号を供給して、ＴＦＴ１５１を介して、画素電極１５５に画像データを書き込む。
【００４８】
以上のように、１Ｈ反転駆動方式により、１水平ラインごとに交互に正極性書込および負極性書込を繰り返して、１つのフレームを生成する。
【００４９】
図６は、電気光学装置１のパーシャル表示モードにおけるタイミングチャートである。図６においては、理解を容易にするため、正極性書込においても、負極性書込においても、同じ階調で書き込んでいる。ここで、パーシャル表示モードにおける１水平ラインの選択期間は、全画面表示モードにおける１水平ラインの選択期間の３倍となっている。具体的には、時刻ｔ５からｔ６までの期間は、時刻ｔ１からｔ４までの期間に等しくなっている。
また、このパーシャル表示モードでは、Ｖｃは、ＶＣＯＭと等しくなっている。
【００５０】
まず、時刻ｔ５からｔ６までの間、正極性書込を行う。すなわち、走査線駆動回路３０により走査線１１０Ａに制御信号を供給して、走査線１１０Ａの電圧ＧＡＴＥ１をＶＧＨとし、この走査線１１０Ａに係る１水平ラインのＴＦＴ１５１を全てオン状態にする。
同時に、データ線駆動回路４０により、共通電極１５６の電圧よりも高いＶＰ１でデータ線１２０Ａに画像信号を供給して、ＴＦＴ１５１を介して、画素電極１５５および蓄積容量１５３に画像データを書き込む。
【００５１】
次に、時刻ｔ６において、走査線駆動回路３０により走査線１１０Ａに係る１水平ラインのＴＦＴ１５１をオフ状態にする。すると、蓄積容量１５３に蓄積された電荷と、画素電極１５５および共通電極１５６による画素容量に蓄積された電荷とが、寄生容量Ｃｇｓ、Ｃｄｓを含んで再分配され、プッシュダウンが生じる。そのため、画素電極１５５の電圧は低下してＶＰ２となり、この電圧ＶＰ２と共通電極１５６の電圧ＶＣＯＭとの電位差が液晶に印加される。
【００５２】
時刻ｔ６から時刻ｔ７までの間において、画素容量および蓄積容量１５３に蓄積された電荷は、徐々に放電されて、画素電極１５５の電圧は、ＶＰ３まで低下する。
【００５３】
次に、時刻ｔ７からｔ８までの間、負極性書込を行う。すなわち、走査線駆動回路３０により走査線１１０Ａに制御信号を供給して、走査線１１０Ａの電圧ＧＡＴＥ１をＶＧＨとし、この走査線１１０Ａに係る１水平ラインのＴＦＴ１５１を全てオン状態にする。
同時に、データ線駆動回路４０により、共通電極１５６の電圧よりも低いＶＰ４でデータ線１２０Ａに画像信号を供給して、ＴＦＴ１５１を介して、画素電極１５５および蓄積容量１５３に画像データを書き込む。
【００５４】
次に、時刻ｔ８において、走査線駆動回路３０により走査線１１０Ａに係る１水平ラインのＴＦＴ１５１をオフ状態にする。すると、蓄積容量１５３に蓄積された電荷と、画素電極１５５および共通電極１５６からなる画素容量に蓄積された電荷とが、寄生容量Ｃｇｓ、Ｃｄｓを含んで再分配され、プッシュダウンが生じる。そのため、画素電極１５５の電圧は低下してＶＰ５となり、この電圧ＶＰ５と共通電極１５６の電圧ＶＣＯＭとの電位差が液晶に印加される。
【００５５】
本実施形態によれば、以下のような効果がある。
（１）パーシャル表示モードでは、画像データ補正部４１により、正極性書込および負極性書込における画像信号を、その中心電圧Ｖｃを共通電極の電圧ＶＣＯＭと等しくしつつ、プッシュダウンによるオフセット電位分だけ補正する。よって、パーシャル表示を行っても、非表示領域７２においては、消費電力を低減できるとともに、表示領域７１においては、画面の焼き付きやフリッカを防止できる。
【００５６】
＜変形例＞
なお、本発明は前記実施形態に限定されるものではなく、本発明の目的を達成できる範囲での変形、改良等は本発明に含まれるものである。
例えば、本実施形態では、パーシャル表示モードである場合には、補正データ記憶部４３から補正係数を読み出し、画像データ変換部２１からの画像信号にこの補正係数を乗算することで、画像信号を補正したが、これに限らない。すなわち、補正データ記憶部に、パーシャル表示用のγ補正テーブルと、全画面表示用のγ補正用テーブルとを記憶しておき、これらのγ補正テーブルを選択的に読み出して参照することで、画像信号を補正してもよい。
【００５７】
このようにすれば、上述の（１）の効果に加え、以下のような効果がある。
（２）画像信号に補正係数を乗じることで補正する場合に比べ、演算処理が不要となるので、より高速で画像信号を補正できる。
【００５８】
また、本実施形態では、画像データ補正部４１をデータ線駆動回路４０に設けたが、これに限らず、データ線駆動回路とは別個に設けてもよい。
【００５９】
また、上述した実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域毎に異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物資として用いたプラズマディスプレイパネルなど各種の電気光学装置に対しても、上記実施形態と同様に本発明が適用され得る。また、本発明は、横電界方式の電気光学装置においても適用することができる。
【００６０】
＜応用例＞
次に、上述した実施形態に係る電気光学装置１を適用した電子機器について説明する。
図７は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００６１】
なお、電気光学装置１が適用される電子機器としては、図７に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００６２】
【図１】本発明の一実施形態に係る電気光学装置の構成を示すブロック図である。
【図２】前記電気光学装置の液晶パネルの部分拡大平面図である。
【図３】前記電気光学装置を構成するコントロール回路およびデータ線駆動回路の構成を示すブロック図である。
【図４】パーシャル表示モードにおける液晶パネルの表示画面を示す図である。
【図５】前記電気光学装置の全画面表示モードにおけるタイミングチャートである。
【図６】前記電気光学装置のパーシャル表示モードにおけるタイミングチャートである。
【図７】上述した電気光学装置を適用した携帯電話機の構成を示す斜視図である。
【符号の説明】
【００６３】
１…電気光学装置、３０…走査線駆動回路、４０…データ線駆動回路、４１…画像データ補正部（補正回路）、１００…素子基板（第１の基板）、１１０、１１０Ａ、１１０Ｂ、１１０Ｃ…走査線、１２０、１２０Ａ、１２０Ｂ…データ線１５０…画素、１５１…ＴＦＴ（スイッチング素子）、１５５…画素電極、１５６…共通電極、２００…対向基板（第２の基板）、３０００…携帯電話機（電子機器）。
【図１】
2007058158.tif 000003
【図２】
2007058158.tif 000004
【図３】
2007058158.tif 000005
【図４】
2007058158.tif 000006
【図５】
2007058158.tif 000007
【図６】
2007058158.tif 000008
【図７】
2007058158.tif 000009